(57)【要約】【課題】３Ｄ撮像するための３Ｄアダプタや３Ｄ表示を見るための偏光メガネ等を携帯することなく３Ｄ撮像および３Ｄモニタ表示することができるだけでなく、２Ｄ撮像および２Ｄモニタ表示できる撮像装置を提供する。【解決手段】略眼幅Ｄだけ離隔して水平に配設された右眼用撮像部３１及び左眼用撮像撮像部３２とを搭載した撮像部３０と、左眼用撮像部３２を右眼撮像部３１に対して、少なくとも、水平方向に１８０度回転する回転機構部３６とを備え、撮像部３０から生成される２つの視差を有する画像を処理し、撮像した画像を３Ｄ表示することができる。また、回転機構部３６を駆動して、右眼又は左眼撮像部から２つの画像のどちらかを選択して２Ｄ表示することもできる。【選択図】          図１
2005020079.tif 000002
【特許請求の範囲】
【請求項１】
被写体を撮像するためのレンズ系と前記被写体の入射光を電気信号に変換する固体撮像素子からなり、略眼幅だけ離隔して配設された２つの撮像部と、
前記２つの撮像部のうち、一方の前記撮像部を、少なくとも１８０度回転させる回転機構部と、
前記２つの撮像部から生成される２つの画像データを画像処理する画像処理部と、を備え、
前記回転機構部によって、前記２つの撮像部の光軸方向を同一方向にして撮像した場合、前記撮像部による２つの画像より３Ｄ表示を可能とし、前記２つの撮像部の光軸方向をずらして撮像した場合、前記撮像部による２つの画像のどちらかを選択して２Ｄ表示を可能とすることを特徴とする請求項１に記載の撮像装置。
【請求項２】
前記画像処理部は、操作および警告する際に表示する文字を発生する２つのＧＵＩ信号発生部と、前記２つの画像と前記ＧＵＩ信号発生部により発生する文字データを合成する２つの画像合成部と、を備えたことを特徴とする請求項１に記載の撮像装置。
【請求項３】
前記ＧＵＩ信号発生部は、操作および警告するための前記表示する文字を記憶するメモリを備え、前記メモリから水平方向に時間差を有して文字を読み出し、相対的に位置ずらして前記文字を３Ｄ表示することを特徴とする請求項２に記載の撮像装置。
【請求項４】
前記２つのＧＵＩ信号発生部は、操作および警告をする際の表示する前記文字を３Ｄ表示する場合において、影付き文字および影付き絵文字を選択することを特徴とする請求項２または請求項３に記載の撮像装置。
【請求項５】
前記画像合成部は、前記相対的に位置ずらして読み出した文字をそれぞれ前記処理画像信号と合成し、前記文字を含めた合成画像を生成することを特徴とする請求項２から請求項４のいずれか１項に記載の撮像装置。
【請求項６】
前記２つの撮像部が前記３Ｄ表示する状態である場合、どちらか一方の前記撮像部の画像情報に基づいて前記２つの撮像部のレンズ系を調整し、前記２つの撮像部が前記２Ｄ表示する状態である場合、夫々の前記画像情報に基づき、前記２つの撮像部のレンズ系を独立に調整をする制御回路を備えることを特徴とする請求項１から請求項５のいずれか１項に記載の撮像装置。
【請求項７】
前記２つの撮像部を支持し、前記略眼幅の１／２の位置を回転中心として、前記配設した平面に対して水平方向に所定の角度範囲内で全体を回転させる撮像回転機構部を備えたことを特徴とする請求項１から請求項６のいずれか１項に記載の撮像装置。
【発明の詳細な説明】
【０００１】
【発明の属する技術分野】
本発明は、立体視を撮像し、記録再生及び表示可能な撮像装置に関する。
【０００２】
【従来の技術】
従来の技術である撮像装置には、適切な視野角が与えられた左眼用画像光及び右眼用画像光を撮像素子に導くため、２つのアナモフィックレンズ部を所定の幅に離隔して並べ、複数の反射板を用いて撮像レンズに導く光学圧縮部（３Ｄアダプタ）と、信号処理、記録再生部及び３Ｄ表示部からなる構成とした３Ｄ撮像装置が提案されている（特許文献１参照）。また、２台のカメラ（撮像素子）を使用して３Ｄ撮像や２Ｄ撮像を行い、記録再生及び表示する撮像装置に関する公知の技術がある（特許文献２参照）。
【０００３】
【特許文献１】
特開平９−３３１５５１号公報
【特許文献２】
特開平９−２１５０１２号公報
【０００４】
【発明が解決しようとする課題】
しかしながら、上述したような従来技術では、例えば、光学圧縮部（３Ｄアダプタ）を使用する撮像装置の場合、撮像装置と共に３Ｄアダプタを常時携帯していないと３Ｄ撮像ができない。また、３Ｄアダプタは紛失したりすることも想定される。さらに、３Ｄ撮像の際、３Ｄアダプタを装着するための時間を要しシャッタチャンスを逃してしまう問題があった。反面、撮像部が一つで対応できるので、製造コストを抑え、小型軽量の撮像装置ができる利点も備えている。また、これまでの２台のカメラ（撮像素子を有する、例えば、ＣＣＤ等を備えている）を備えた撮像装置では、３Ｄ撮像をする際は、どちらか一方の固定倍率ズームカメラに合わせてしまい、３Ｄズーム撮像を行う場合に、電子ズームを使用するので画質が劣化してしまい３Ｄ画像に不適正なものであり、３Ｄ撮像及び記録時における撮像テクニックを発揮できなかった。３Ｄ撮像した画像は３Ｄ眼鏡等或いは３Ｄビューワを用い、２Ｄ表示の際は取り外して画面を見なければならないという面倒な装置であった。前述の技術と同様に、３Ｄビューワ或いは３Ｄ眼鏡等を携帯しないと、３Ｄ画像を見ることができないという問題は同じである。また、上述した両技術とも被写体を撮像者の前方のみに限定しているため、撮像装置の用途も限られてしまうという課題が残されていた。
【０００５】
そこで、本発明は、上記のような問題点に鑑みてなされたものであり、３Ｄ撮像するための３Ｄアダプタや３Ｄ表示を見るための偏光メガネ等を携帯することなく３Ｄ撮像および３Ｄモニタ表示を可能とし、業務用だけでなく民生用として、非常に使い勝手のよい撮像装置を提供することにある。
【０００６】
また、２つの撮像部のうち、一方の撮像部の光軸方向を他方の撮像部の前記光軸方向に対してずらして、２つの撮像部のうち、どちらかの画像を選択し、２Ｄ表示することも可能な撮像装置を提供することにある。
【０００７】
【課題を解決するための手段】
本発明に係る撮像装置は、被写体を撮像するためのレンズ系と前記被写体の入射光を電気信号に変換する固体撮像素子からなり、略眼幅だけ離隔して配設された２つの撮像部と、前記２つの撮像部のうち、一方の前記撮像部を、少なくとも１８０度回転させる回転機構部と、前記２つの撮像部から生成される２つの画像データを画像処理する画像処理部と、を備え、前記回転機構部によって、前記２つの撮像部の光軸方向を同一方向にして撮像した場合、前記撮像部による２つの画像より３Ｄ表示を可能とし、前記２つの撮像部の光軸方向をずらして撮像した場合、前記撮像部による２つの画像のどちらかを選択して２Ｄ表示を可能とすることを特徴とする。
【０００８】
本発明に係る撮像装置は、前記画像処理部が、操作および警告する際に表示する文字を発生する２つのＧＵＩ信号発生部と、前記２つの画像と前記ＧＵＩ信号発生部により発生する文字データを合成する２つの画像合成部と、を備えたことを特徴とする。
【０００９】
本発明に係る撮像装置は、前記ＧＵＩ信号発生部が操作および警告するための前記表示する文字を記憶するメモリを備え、前記メモリから水平方向に時間差を有して文字を読み出し、相対的に位置ずらして前記文字を３Ｄ表示することを特徴とする。
【００１０】
本発明に係る撮像装置は、前記２つのＧＵＩ信号発生部が、操作および警告をする際の表示する前記文字を３Ｄ表示する場合において、影付き文字および影付き絵文字を選択することを特徴とする。
【００１１】
本発明に係る撮像装置は、前記画像合成部が、前記相対的に位置ずらして読み出した文字をそれぞれ前記処理画像信号と合成し、前記文字を含めた合成画像を生成することを特徴とする。
【００１２】
本発明に係る撮像装置は、前記２つの撮像部が前記３Ｄ表示する状態である場合、どちらか一方の前記撮像部の画像情報に基づいて前記２つの撮像部のレンズ系を調整し、前記２つの撮像部が前記３Ｄ表示する状態である場合、夫々の前記画像情報に基づき、前記２つの撮像部のレンズ系を独立に調整をする制御回路を備えることを特徴とする。
【００１３】
本発明に係る撮像装置は、前記２つの撮像部を支持し、前記略眼幅の１／２の位置を回転中心として、前記配設した平面に対して水平方向に所定の角度範囲内で全体を回転させる撮像回転機構部を備えたことを特徴とする。
【００１４】
本発明によれば、２つの平設した撮像部と、撮像した被写体の画像信号を画像処理する画像処理部と、３Ｄ表示する表示部とによって構成することで、３Ｄ撮像するための３Ｄアダプタや３Ｄ表示を見るための偏光メガネ等を携帯することなく３Ｄ撮像および３Ｄ表示が可能となる。また、撮像部の一方が少なくとも１８０度以上相対回転可能となっているので、２Ｄ撮像での対面撮像が可能となっている。また、対面撮像時（２Ｄ撮像）は、自動的に２Ｄ表示となるので、使用者にとって操作性のよい３Ｄ撮像装置が提供できる。
【００１５】
さらに、３Ｄ撮像時には、撮像ガイド表示或いは警告表示等の文字および絵文字（キャラクタ）を３Ｄ表示することができる。従来３Ｄ撮像装置にない新たな機能を有する撮像装置を提供することにより、上記のような課題を解決したものである。
【００１６】
【発明の実施の形態】
本発明の実施の形態について以下に、図面を参照して説明する。なお、実施形態を説明するための全図において、同様の機能を有する部分には同じ符号を付けるとともに、各実施形態を説明するための各図においても同様の要素には同じ符号を付け、その繰り返しの説明は省略する。
【００１７】
図１は、本発明の一実施形態に係る撮像装置の正面の外観図である。
【００１８】
図２は、本発明の一実施形態に係る撮像装置の背面の外観図である。
【００１９】
図１および図２を用いて、本発明に係る撮像装置の構成について説明する。図１に示す撮像装置の正面の外観図において、撮像装置１０は、撮像部３０、画像信号処理部５０ａ，５０ｂ、記録再生する記録媒体部５１等から構成する画像処理部３３、及び画像処理部３３に併設され、撮像した画像を３Ｄ表示または２Ｄ表示することが可能な表示部３４を備えている。なお、この表示部３４は、撮像装置１０から外して遠隔で表示させることも可能である。
【００２０】
撮像部３０は、３Ｄ（立体）撮像するための右眼用撮像部３１と左眼用撮像撮像部３２とが一つの筐体に収納されている。
【００２１】
また、右眼用撮像装置３１と左眼用撮像装置３２は、略眼幅Ｄだけ離隔して水平に配設されている。撮像部３０の下部には、上記に示したように、画像信号処理部５０ａ，５０ｂおよび記録再生する記録媒体５１等を格納する画像処理部３３と、画像処理部３３に併設されて撮像した画像を３Ｄ表示または２Ｄ表示することが可能な表示部３４を備えている。ここで、撮像部３０と画像処理部３３との間には、撮像部３０を画像処理部３３に対して相対回転可能にする撮像回転機構部３５が設けられている。撮像部３０は、前記撮像回転機構部３５によって支持され、所定の角度範囲で回転することが可能である。また、撮像回転機構部３５は、右眼用撮像部３１と左眼用撮像部３２の中間の位置、即ち、右眼用撮像部３１と左眼用撮像部３２の略眼幅Ｄの概略１／２の位置に設けられている。
【００２２】
また、撮像部３０の筐体と左眼用撮像部３２との間に、左眼用撮像部３２を撮像部３０に対して相対回転可能な回転機構部３６が設けられている。
【００２３】
撮像部３０の筐体内の左眼用撮像部３２は、そのレンズ光軸の垂下点に、相対回転可能な回転機構部３６によって支持され、水平方向に１８０度以上回転することができる。その回転方向は、図１に示したＲ方向である。
【００２４】
尚、上記説明では、左眼用撮像部３２を撮像部３０に対して回転可能としたが、右眼用撮像部３１を撮像部３０に対して回転可能としてもよい。また、左眼用撮像部３２を撮像部３０に対して垂直方向に、即ち、Ｒ方向に直角の方向に回転可能な構造としてもよい。
【００２５】
さらに、左眼用撮像部３２及び右眼用撮像部３１の両方を回転させるようにしても良い。
【００２６】
図２は、本発明の一実施形態に係る撮像装置の背面の外観図である。
【００２７】
即ち、図２は、撮像装置１０の背面図、つまり撮像装置１０を使用者側から見た図である。３０は撮像部、３２は左眼用撮像部、３１は右眼用撮像部であり、３７は、３Ｄ表示または２Ｄ表示が可能な表示部３４の表示画面である。例えば、この表示画面３７は、液晶（ＬＣＤ）表示画面を使用してもよい。
【００２８】
ここで、左眼用撮像部３２を、１８０度回転させると左眼用撮像部３２のレンズ面が使用者側に向くので、使用者自身を撮像することが可能となる。この状態を対面撮像状態またはモードという。
【００２９】
図３は、本発明の第１の実施形態に係る撮像装置１０のブロック図である。
【００３０】
撮像装置１０は、右眼用撮像部３１及び左眼用撮像部３２からなる撮像部３０、画像処理部３３および表示部３４で構成されている。
【００３１】
撮像部３０は、被写体を撮像する光学レンズ群４０ａ，４０ｂ、前記光学信号を電気信号に変換する固体撮像素子（ＣＣＤ等）４１ａ，４１ｂ、ガンマ補正等およびＡ／Ｄ変換を含むカメラ画像信号処理部４２ａ，４２ｂ、レンズ駆動、アイリス、シャッター等の制御回路部４３ａ，４３ｂ、左眼用撮像装置３２を回転させる回転機構部３６、及び撮像部３０を回転させる撮像回転機構部３５により構成されている。
【００３２】
また、画像処理部３３は、右眼用撮像部３１および左眼用撮像部３２からの画像信号を処理する画像信号処理部５０ａ，５０ｂ、画像信号処理部からの画像信号を符号化或いは複合化された信号を記憶する記録媒体５１、この記録媒体５１に対して記録および再生を制御する信号制御部５２、操作案内や各種警告を表示させるためのＯＳＤ（Ｏｎ  Ｓｃｒｅｅｎ  Ｄｉｓｐｌａｙ）用ＩＣであり、文字や絵文字を発生させるＧＵＩ（グラフィック・ユーザー・インタフェース）信号発生部５３ａ，５３ｂ、画像信号処理部５０ａ，５０ｂによって処理された各処理画像とＧＵＩ信号発生部５３ａ，５３ｂからの各キャラクタ信号を合成する画像合成部５４ａ，５４ｂにより構成されている。なお、上記ＯＳＤ・ＩＣにはキャラクタ・データを内蔵するＲＯＭが含まれている。
【００３３】
さらに、画像処理部３３は、液晶スイッチ駆動回路５９及びＴＦＴ液晶駆動回路（ドライバ回路）６０も備えている。また、ＣＰＵ６１（或いはＤＳＰを内蔵させたＣＰＵ）は、撮像部３０および画像処理部３３の全体のシステムコントロールおよび必要に応じ右眼画像と左眼画像との視差演算処理等を担っている。
【００３４】
次に、３Ｄ撮像時および２Ｄ撮像時の撮像部３０の動作について説明する。
【００３５】
撮像部３０には、２種の回転検出スイッチ（両スイッチとも図１及び図２には図示せず）が備えられている。すなわち、一つは、回転機構部３６によって右眼用撮像部３１に対して左眼用撮像部３２が回転したとき、その回転角度を検出する左眼用回転検出スイッチであり、他方は、撮像回転機構部４５によって、画像処理部３３に対して撮像部３０が回転したとき、その回転角度を検出する撮像部回転検出スイッチである。左眼用撮像部３２が回転していない時の状態（図１の状態：右眼用撮像部３１および左眼用撮像部３２の光軸方向が同一の被写体の方向にある）、即ち、回転角が０°の場合、左眼用回転検出スイッチの動作状態をオフと定義する。また、回転角が０°に対して許容誤差角度以上回転している場合、左眼用回転検出スイッチの動作状態をオンと定義する。同様に、撮像部３０の回転角が０°に対して許容誤差角度以内である場合（図１の状態：画像処理装置３３に対して撮像装置３０の光軸が回転していない状態を示す）、撮像部回転検出スイッチ４５の動作状態をオフと定義する。また、図２の状態から所定の回転角度に達したときの動作状態をオンと定義する。例えば、±９０°に達したとき、その動作状態をオンとする。
【００３６】
３Ｄ撮像ができるのは、２つの撮像部の光軸方向を同一の被写体方向にある場合であり、左眼用回転検出スイッチ４４の動作状態がオフの場合である。即ち、３Ｄ撮像は、回転機構部３６を駆動し、左眼用回転検出スイッチ４４をオフ状態としてから行うことができる。なお、撮像部回転検出スイッチ４５の動作状態は、オン、オフのどちらでもよい。撮像部回転検出スイッチ４５のオン状態は、撮像回転機構部４５が駆動範囲を越えたことを通知するものである。
【００３７】
一方、左眼用回転検出スイッチ４４の動作状態がオンの場合には、２つの撮像部の光軸方向が同一の被写体方向とならず、右眼用撮像部３１および左眼用撮像部３２から適切な視差画像が得られなくなるため自動的に２Ｄ撮像となる。この場合、表示器３４に表示される画像は、右眼用撮像部３１及び左眼用撮像部３２から出力されるどちらかの画像を選択（選択手段は図示せず）する。
【００３８】
左眼画像及び右眼画像の光信号は、光学レンズ群４０ａ，４０ｂにそれぞれ入射し、固体撮像素子４１ａ，４１ｂで電気信号に変換され、カメラ信号処理部４２ａ，４２ｂを通して、デジタル画像信号となる。このようにして、変換されたそれぞれのデジタル画像信号は、画像信号処理部５０ａ，５０ｂによって、画像処理され、所望の右眼用及び左眼用映像信号Ｓ１，Ｓ２となる。画像信号処理部５０ａからの右眼用映像信号は、画像合成部５４ａによって、右眼用のＯＳＤ５３ａからのキャラクタ信号と合成され右眼用合成映像信号となる。また、画像信号処理部５０ｂからの左眼用映像信号出力は、画像合成部５４ｂによって、左眼用のＯＳＤ５３ｂからのキャラクタ信号と合成され、左眼用合成映像信号となる。夫々の合成映像信号出力は、液晶駆動回路６０に入力されＴＦＴ液晶部５６で表示される。一方、上記左眼用映像信号出力Ｓ１および右眼用映像信号出力Ｓ２は、ＣＰＵ６１に入力される。ＣＰＵ６１は、Ｓ１，Ｓ２の信号に基づき、画像のフォーカスや明るさやコントラスト等の制御信号を出力する。しかしながら、３Ｄ撮像の場合、左眼用撮像部の制御に左眼用撮像部３２の信号を用い、右眼用撮像部３１の制御には右眼用撮像部の信号を用いると、例えば、フォーカスにおいては同一被写体であっても撮像部野視野角の違いおよび画像処理の特性等によりフォーカス状態が異なる場合が生じ、３Ｄ表示が３Ｄとして見えないことが生じる場合がある。そのためどちらか一方の撮像部からの画像情報を基にＣＰＵ６１は、フォーカス等の制御信号を生成し、撮像部の制御回路部４３ａ，４３ｂに出力する。これによって、撮像部の制御回路部４３ａ，４３ｂは、同一の画像情報に基づいて、光学レンズ群４０ａ，４０ｂを制御し、上記欠点を避けることが可能である。
【００３９】
また、ＣＰＵ６１は、液晶スイッチ５８に対して３Ｄ表示させるために液晶スイッチ駆動回路５９へ制御信号を出力する。さらに、ＣＰＵ６１は、上述のＴＦＴ液晶部５６に表示される左眼用映像信号および右眼用映像信号との同期をとる。つまり右眼用映像信号の表示期間中は、左眼用映像信号の表示期間をＴＦＴ液晶駆動回路６０で閉じ、左眼用映像信号の表示期間中は、右眼用映像信号の表示期間をＴＦＴ液晶駆動回路６０で閉じるように制御する。表示期間は採用する３Ｄシステムによって異なり、フレーム或いはフィールドであったり、また、水平走査期間であったりとすることが可能である。
【００４０】
次に、右眼用撮像部３１及び左眼用撮像部３２が３Ｄ表示可能な状態にある場合において、表示装置３４における２Ｄ及び３Ｄ表示切換えの表示動作について、詳細に説明する。
【００４１】
図４は、２Ｄ表示時の液晶の断面図であり、図５は、３Ｄ表示時の液晶の断面図である。
図４及び図５において示す矢印は、液晶表示部内からの光源（バックライト；図示せず）のバックライト光８０ａ，８０ｂ，８１ａ，８１ｂである。液晶（ＬＣＤ）表示部３４は、偏光板７０、液晶スイッチ（切換え用）５８、微細加工位相差板５７、偏光板７１とで構成される通常のＴＦＴ液晶部５６とで構成される。
【００４２】
ここで、ＴＦＴ液晶部５６の背面の偏光板７１は、偏光板７０に対して４５度の位相差があるように設定されている。また、偏光板７１と同位相の列ａと４５度位相差がある列ｂとがストライプに加工された微細加工位相差板５７が、スイッチ液晶５８の前面に配設されている。さらに、スイッチ液晶５８は、通常、偏光がない状態となっている。この状態では、図４に示すように、バックライトからのバックライト光８０ａ，８０ｂ，８１ａ，８１ｂは、ＴＦＴ液晶部５６を透過し表示画面を見ている人の右眼および左眼ともに入光するため、通常の２Ｄ表示として映る。一方、３Ｄ表示時では、液晶スイッチ５８は、前述の偏光がない状態から９０度捩れた状態、つまり偏光板７０の面より４５度捩れた状態になるので、微細加工位相差板５７の位相差列ｂに入射するバックライト光８１ａ，８１ｂは、ＴＦＴ液晶部５６の背面偏光板７１とは９０度の位相差をもつので、この背面偏光板７１がバリアとなって透過できない。微細加工位相板５７の一方の位相列ａに入光のバックライト光８０ａは、４５度の位相差を有するので、ＴＦＴ液晶部５６の画素８２（列）を透過して左眼に入り、バックライト光８０ｂは、ＴＦＴ液晶部５７の画素８３（列）を透過して右眼に入る。従って、視差を有する画像が左眼及び右眼に入ることになる。ＴＦＴ液晶部５６の画素列８２を左眼用映像信号とし、画素列８３を右眼用映像信号として液晶駆動部６０は、駆動する。このように、左眼用回転検出スイッチ４４の動作状態がオフの場合、即ち、両眼の撮像部３１，３２の光軸方向が同一の場合に液晶スイッチ５９を偏光がある状態に制御することで、３Ｄ表示することができる。
【００４３】
また、本装置の液晶（ＬＣＤ）表示部３４は、図４，５に示したように、電気的に２Ｄ、３Ｄ表示切換え可能な背面バリア方式について説明したが前面バリア方式或いはその他の電気的２Ｄ、３Ｄ表示切換えであってもよい。
【００４４】
図６は、表示画面のＯＳＤ表示のキャラクタイメージ図である。図６（ａ）は、キャラクタ（文字および絵文字）を右眼用とした場合を示す図である。図６（ｂ）は、キャラクタ（文字および絵文字）を左眼用とした場合を示す図である。図６（ｂ）に示す左眼用のキャラクタは、図６（ａ）に対して、ｔ時間差があることを示している。このことは、図１の３Ｄ撮像装置のブロック図において、右眼用ＯＳＤ５３ａのキャラクタ格納ＲＯＭと左眼用のＯＳＤ５３ｂのキャラクタ格納ＲＯＭにキャラクタを書き込む際に、予めｔ時間分だけアドレスをずらして書き込むことで可能である。また、キャラクタに影をつけることで映像の３Ｄとは異なる効果が期待できる。このようにして、キャラクタに対して視差画像を生成することができ、３Ｄ表示することが可能である。また、キャラクタに影をつけておくことで映像の３Ｄとは異なる効果が期待できる。
【００４５】
次に、図７は本発明の他の実施形態に係る撮像装置のブロック図である。
図７の撮像装置のブロック図に示すように、ＣＰＵ６１の制御により所望のキャラクタ信号をメモリ６２に書き込み、該キャラクタの読み出し時に、どちらか（右眼用または左眼用のキャラクタ信号）一方にｔ時間遅延させる遅延要素６３を通過させて映像信号と合成させるようにしてもよい。上述したように、キャラクタに対しても視差画像を生成することができ、３Ｄ表示することが可能である。
【００４６】
【発明の効果】
以上説明したように、本発明に係る撮像装置によれば、３Ｄ撮像するための３Ｄアダプタや３Ｄ表示を見るための偏光メガネ等を携帯することなく３Ｄ撮像および３Ｄモニタ表示が可能となり、業務用だけでなく民生用として、非常に使い勝手のよい３Ｄ撮像装置としての効果が大きい。また、上述したように、左眼用及び右眼用撮像部を平設した構成としているので、従来の２Ｄ撮像機能が備えているズーム等全ての機能が使用でき、これまでにない３Ｄ撮像装置が供給できるようになる。また、本発明は、撮像部の一方が少なくとも１８０度相対回転可能となっているので、対面撮像も可能である。さらに、対面撮像時（２Ｄ撮像）は、モニタ表示も自動的に２Ｄ表示となるので、使用者にとって操作性のよい撮像装置が提供できる。２つの撮像部の全体が回転可能な構造となっているので、ユーザが場所を移動することなく３Ｄ表示を見ながら３Ｄパノラマ動画撮影も可能となる。また、３Ｄ撮像時には、撮像ガイド表示或いは警告表示等の文字および絵文字（キャラクタ）も３Ｄ表示とできるので、従来の撮像装置にない新たな機能を提供することができる。
【図面の簡単な説明】
【図１】本発明の一実施形態に係る撮像装置の正面の外観図である。
【図２】本発明の一実施形態に係る撮像装置の背面の外観図である。
【図３】本発明の第１の実施形態に係る撮像装置のブロック図である。
【図４】２Ｄ表示時における液晶の断面図である。
【図５】３Ｄ表示時における液晶の断面図である。
【図６】（ａ）は、キャラクタ（文字および絵文字）を右眼用とした場合を示す図であり、（ｂ）は、キャラクタ（文字および絵文字）を左眼用とした場合を示す図である。
【図７】本発明の他の実施形態に係る撮像装置のブロック図である。
【符号の説明】
１０    撮像装置
３０    撮像部
３１    右眼用撮像部
３２    左眼用撮像部
３３    画像処理部
３４    表示部
３５    撮像回転機構部
３６    回転機構部
３７    表示画面
４０ａ，４０ｂ    光学レンズ群
４１ａ，４１ｂ    固体撮像素子
４２ａ，４２ｂ    カメラ画像信号処理部
４３ａ，４３ｂ    制御回路部
４４    左眼用回転検出スイッチ
４５    撮像部回転検出スイッチ
５０ａ，５０ｂ    画像信号処理部
５１    記録媒体
５２    信号制御部
５３ａ，５３ｂ    キャラクタ発生部
５４ａ，５４ｂ    画像合成部
５６    ＴＦＴ液晶部
５７    微細加工位相差板
５８    液晶スイッチ
５９    駆動回路
６０    ＴＦＴ液晶駆動回路
６１    ＣＰＵ
６２    メモリ
６３    遅延要素
７０    偏光板
７１    背面偏光板
８０ａ，８０ｂ    バックライト光
８１ａ，８１ｂ    バックライト光
【図１】
2005020079.tif 000003
【図２】
2005020079.tif 000004
【図３】
2005020079.tif 000005
【図４】
2005020079.tif 000006
【図５】
2005020079.tif 000007
【図６】
2005020079.tif 000008
【図７】
2005020079.tif 000009